(57)【要約】【課題】ユーザは、取得した移動店舗のサービス情報を容易に利用することができる。【解決手段】移動店舗の携帯端末２は、ユーザに提供するクーポン券などのサービス情報を記憶している。移動店舗は、営業を開始する際、携帯端末２によって自分の位置情報を取得し、サーバ３に登録する。また、携帯端末２は、記憶しているサービス情報に、取得した位置情報を挿入する。ユーザの携帯端末１は、携帯端末２からサービス情報を受信し、記憶する。ユーザは、サービス情報を利用する際、携帯端末１によってサービス情報に含まれる位置情報をサーバ３に送信する。サーバ３は、登録された移動店舗の位置情報と、携帯端末１から送信された位置情報とを比較する。サーバ３は、比較結果を携帯端末１に送信する。【選択図】図１
2010066880.tif 000002
【特許請求の範囲】
【請求項１】
無線通信を行う携帯端末において、
移動店舗の所有する店舗携帯端末から前記移動店舗のサービス情報を受信するサービス情報受信手段と、
前記サービス情報を記憶するサービス情報記憶手段と、
前記サービス情報に含まれている位置情報をサーバに送信する位置情報送信手段と、
前記サーバから前記サーバに送信した前記位置情報と前記移動店舗の位置との比較結果を受信する比較結果受信手段と、
を有することを特徴とする携帯端末。
【請求項２】
前記比較結果に基づいて、前記サービス情報記憶手段に記憶した前記サービス情報を表示装置に表示するサービス情報表示手段を有することを特徴とする請求項１記載の携帯端末。
【請求項３】
前記サービス情報受信手段は、ＩＣカードリーダライタを介して前記店舗携帯端末から前記サービス情報を受信することを特徴とする請求項１記載の携帯端末。
【請求項４】
前記サービス情報は、トルカデータであることを特徴とする請求項１記載の携帯端末。
【請求項５】
無線通信を行う携帯端末において、
当該携帯端末を所有する移動店舗のサービス情報を記憶するサービス情報記憶手段と、
当該携帯端末の位置情報を取得する位置情報取得手段と、
前記サービス情報に前記位置情報を挿入する位置情報挿入手段と、
前記位置情報をサーバに送信する位置情報送信手段と、
前記サービス情報を要求するユーザ携帯端末に前記サービス情報を送信するサービス情報送信手段と、
を有することを特徴とする携帯端末。
【請求項６】
前記サービス情報送信手段は、ＩＣカードリーダライタを介して前記ユーザ携帯端末に前記サービス情報を送信することを特徴とする請求項５記載の携帯端末。
【請求項７】
無線通信を行う携帯端末とデータ通信を行うサーバにおいて、
移動店舗の所有する店舗携帯端末から前記店舗携帯端末の位置情報を受信する店舗位置情報受信手段と、
前記位置情報を記憶する位置情報記憶手段と、
前記移動店舗のサービス情報を記憶したユーザ携帯端末から前記サービス情報に含まれる前記位置情報を受信するサービス位置情報受信手段と、
前記位置情報記憶手段に記憶した前記位置情報と、前記サービス位置情報受信手段によって受信した前記位置情報とを比較する比較手段と、
前記比較手段の比較結果を前記ユーザ携帯端末に送信する比較結果送信手段と、
を有することを特徴とするサーバ。
【請求項８】
移動店舗のサービス情報を提供するサービス情報提供システムにおいて、
前記サービス情報を受信するサービス情報受信手段と、前記サービス情報を記憶するサービス情報記憶手段と、前記サービス情報に含まれている位置情報を送信する位置情報送信手段と、前記位置情報送信手段によって送信した前記位置情報と前記移動店舗の位置との比較結果を受信する比較結果受信手段と、を有するユーザ携帯端末と、
前記サービス情報を記憶する店舗サービス情報記憶手段と、位置情報を取得する位置情報取得手段と、前記サービス情報に前記位置情報を挿入する位置情報挿入手段と、前記位置情報を送信する位置情報送信手段と、前記ユーザ携帯端末に前記サービス情報を送信するサービス情報送信手段と、を有する店舗携帯端末と、
前記店舗携帯端末から前記店舗携帯端末の前記位置情報を受信する店舗位置情報受信手段と、前記位置情報を記憶する位置情報記憶手段と、前記ユーザ携帯端末から前記サービス情報に含まれる前記位置情報を受信するサービス位置情報受信手段と、前記位置情報記憶手段に記憶した前記位置情報と、前記サービス位置情報受信手段によって受信した前記位置情報とを比較する比較手段と、前記比較手段の前記比較結果を前記ユーザ携帯端末に送信する比較結果送信手段と、を有するサーバと、
を有することを特徴とするサービス情報提供システム。
【発明の詳細な説明】
【技術分野】
【０００１】
本発明は移動店舗のサービス情報を授受する携帯端末、サーバ、およびサービス情報提供システムに関する。
【背景技術】
【０００２】
現在、店頭で紙媒体として配布されていたレストランカードやクーポン券などを携帯電話に取り込むことができるサービスが提供される。例えば、トルカ（登録商標）では、携帯電話をお店のレジにあるリーダ／ライタにかざすだけで、そのお店の情報やクーポン券などを取得することができる。携帯電話のユーザは、例えば、集めたトルカの画面をお店に見せることにより、割引などの特典を受けることができる。
【０００３】
なお、ユーザやサービス提供者が端末の種類を意識せずに位置情報を連携することができる位置情報連携システムおよび位置情報連携方法が提供されている（例えば、特許文献１参照）。
【特許文献１】特開２００７−２１８８５５号公報
【発明の開示】
【発明が解決しようとする課題】
【０００４】
しかし、屋台などの移動店舗の場合、ユーザは、移動店舗が現在どこで営業しているのか知ることができないため、取得したクーポン券などのサービス情報を利用することが困難であるという問題点があった。
【０００５】
本件はこのような点に鑑みてなされたものであり、移動店舗の場合でも、取得したサービス情報を容易に利用することができる携帯端末、サーバ、およびサービス情報提供システムを提供することを目的とする。
【課題を解決するための手段】
【０００６】
上記課題を解決するために、無線通信を行う携帯端末が提供される。この携帯端末は、移動店舗の所有する店舗携帯端末から前記移動店舗のサービス情報を受信するサービス情報受信手段と、前記サービス情報を記憶するサービス情報記憶手段と、前記サービス情報に含まれている位置情報をサーバに送信する位置情報送信手段と、前記サーバから前記サーバに送信した前記位置情報と前記移動店舗の位置との比較結果を受信する比較結果受信手段と、を有する。
【０００７】
また、上記課題を解決するために、無線通信を行う携帯端末が提供される。この携帯端末は、当該携帯端末を所有する移動店舗のサービス情報を記憶するサービス情報記憶手段と、当該携帯端末の位置情報を取得する位置情報取得手段と、前記サービス情報に前記位置情報を挿入する位置情報挿入手段と、前記位置情報をサーバに送信する位置情報送信手段と、前記サービス情報を要求するユーザ携帯端末に前記サービス情報を送信するサービス情報送信手段と、を有する。
【０００８】
また、上記課題を解決するために、無線通信を行う携帯端末とデータ通信を行うサーバが提供される。このサーバは、移動店舗の所有する店舗携帯端末から前記店舗携帯端末の位置情報を受信する店舗位置情報受信手段と、前記位置情報を記憶する位置情報記憶手段と、前記移動店舗のサービス情報を記憶したユーザ携帯端末から前記サービス情報に含まれる前記位置情報を受信するサービス位置情報受信手段と、前記位置情報記憶手段に記憶した前記位置情報と、前記サービス位置情報受信手段によって受信した前記位置情報とを比較する比較手段と、前記比較手段の比較結果を前記ユーザ携帯端末に送信する比較結果送信手段と、を有する。
【０００９】
また、上記課題を解決するために、移動店舗のサービス情報を提供するサービス情報提供システムが提供される。このサービス情報提供システムは、前記サービス情報を受信するサービス情報受信手段と、前記サービス情報を記憶するサービス情報記憶手段と、前記サービス情報に含まれている位置情報を送信する位置情報送信手段と、前記位置情報送信手段によって送信した前記位置情報と前記移動店舗の位置との比較結果を受信する比較結果受信手段と、を有するユーザ携帯端末と、前記サービス情報を記憶する店舗サービス情報記憶手段と、位置情報を取得する位置情報取得手段と、前記サービス情報に前記位置情報を挿入する位置情報挿入手段と、前記位置情報を送信する位置情報送信手段と、前記ユーザ携帯端末に前記サービス情報を送信するサービス情報送信手段と、を有する店舗携帯端末と、前記店舗携帯端末から前記店舗携帯端末の前記位置情報を受信する店舗位置情報受信手段と、前記位置情報を記憶する位置情報記憶手段と、前記ユーザ携帯端末から前記サービス情報に含まれる前記位置情報を受信するサービス位置情報受信手段と、前記位置情報記憶手段に記憶した前記位置情報と、前記サービス位置情報受信手段によって受信した前記位置情報とを比較する比較手段と、前記比較手段の前記比較結果を前記ユーザ携帯端末に送信する比較結果送信手段と、を有するサーバと、を有する。
【発明の効果】
【００１０】
開示の携帯端末、サーバ、およびサービス情報提供システムでは、ユーザは、取得した移動店舗のサービス情報を容易に利用することができる。
【発明を実施するための最良の形態】
【００１１】
実施の形態を図面を参照して詳細に説明する。
図１は、サービス情報提供システムを説明する図である。図１には、移動店舗のサービス情報を取得するユーザの所有する携帯端末１、移動店舗の所有する携帯端末２、およびサーバ３が示してある。サービス情報は、例えば、移動店舗の提供するクーポン券などである。携帯端末１，２は、例えば、携帯電話などの無線端末である。
【００１２】
携帯端末１は、サービス情報受信手段１ａ、サービス情報記憶手段１ｂ、位置情報送信手段１ｃ、および比較結果受信手段１ｄを有している。
サービス情報受信手段１ａは、移動店舗の所有する携帯端末２から、移動店舗のサービス情報を受信する。
【００１３】
サービス情報記憶手段１ｂは、サービス情報受信手段１ａによって受信されたサービス情報を記憶する。
位置情報送信手段１ｃは、サービス情報に含まれている位置情報をサーバ３に送信する。
【００１４】
比較結果受信手段１ｄは、サーバ３から、サーバ３に送信した位置情報と、移動店舗の位置との比較結果を受信する。
携帯端末２は、サービス情報記憶手段２ａ、位置情報取得手段２ｂ、位置情報挿入手段２ｃ、位置情報送信手段２ｄ、およびサービス情報送信手段２ｅを有している。
【００１５】
サービス情報記憶手段２ａは、携帯端末２を所有する移動店舗のサービス情報を記憶している。
位置情報取得手段２ｂは、携帯端末２の位置情報を取得する。
【００１６】
位置情報挿入手段２ｃは、サービス情報記憶手段２ａの記憶しているサービス情報に、位置情報取得手段２ｂの取得した位置情報を挿入する。
位置情報送信手段２ｄは、位置情報取得手段２ｂの取得した位置情報をサーバ３に送信する。
【００１７】
サービス情報送信手段２ｅは、サービス情報を要求するユーザの携帯端末１にサービス情報を送信する。
サーバ３は、店舗位置情報受信手段３ａ、位置情報記憶手段３ｂ、サービス位置情報受信手段３ｃ、比較手段３ｄ、および比較結果送信手段３ｅを有している。
【００１８】
店舗位置情報受信手段３ａは、移動店舗の所有する携帯端末２から、携帯端末２の位置情報を受信する。
位置情報記憶手段３ｂは、店舗位置情報受信手段３ａによって受信された位置情報を記憶する。
【００１９】
サービス位置情報受信手段３ｃは、移動店舗のサービス情報を記憶したユーザの携帯端末１から、サービス情報に含まれる位置情報を受信する。
比較手段３ｄは、位置情報記憶手段３ｂに記憶した位置情報と、サービス位置情報受信手段３ｃによって受信した位置情報とを比較する。
【００２０】
比較結果送信手段３ｅは、比較手段３ｄの比較結果をユーザの携帯端末１に送信する。
サービス情報提供システムの動作について説明する。
携帯端末２のサービス情報記憶手段２ａには、ユーザに提供する移動店舗のサービス情報が予め記憶されている。
【００２１】
移動店舗は、ある場所で営業を開始するとき、携帯端末２の位置情報取得手段２ｂによって自分の位置情報を取得する。取得した位置情報は、位置情報挿入手段２ｃによって、サービス情報記憶手段２ａに記憶されているサービス情報に挿入される。
【００２２】
また、取得した位置情報は、位置情報送信手段２ｄによってサーバ３に送信され、サーバ３の位置情報記憶手段３ｂに記憶される。すなわち、移動店舗は、営業を開始する際、現在の位置をサーバ３に登録する。
【００２３】
ユーザは、移動店舗で商品を購入する際、移動店舗の携帯端末２からサービス情報を受信し、自分の携帯端末１に記憶する。具体的には、携帯端末１のサービス情報受信手段１ａは、移動店舗の携帯端末２のサービス情報送信手段２ｅから送信されるサービス情報を受信し、サービス情報記憶手段１ｂに記憶する。このサービス情報には、移動店舗の現在営業している位置情報が挿入されている。
【００２４】
ユーザは、例えば後日、取得したサービス情報を利用するとき、サーバ３にサービス情報の利用が可能か否か問い合わせる。具体的には、携帯端末１の位置情報送信手段１ｃは、サービス情報記憶手段１ｂに記憶されているサービス情報に挿入されている位置情報をサーバ３に送信する。
【００２５】
サーバ３のサービス位置情報受信手段３ｃは、携帯端末１から位置情報を受信する。比較手段３ｄは、携帯端末１から受信した位置情報と、位置情報記憶手段３ｂに記憶されている移動店舗の位置情報と比較する。比較結果送信手段３ｅは、比較手段３ｄの比較結果を携帯端末１に送信する。
【００２６】
携帯端末１の比較結果受信手段１ｄは、サーバ３から送信される比較結果を受信する。携帯端末１は、サーバ３から位置情報が一致する旨の比較結果を受信した場合、例えば、表示装置にサービス情報を利用することが可能であることを表示する。一方、一致しない旨を受信した場合、例えば、表示装置にサービス情報を利用することができないことを表示する。すなわち、ユーザは、移動店舗がサービス情報を利用できるエリア（自分の近く）で営業しているか否か、サーバ３に問い合わせることができる。
【００２７】
このように、移動店舗は、例えば、営業を行う際、サーバ３に位置登録を行う。携帯端末１のユーザは、移動店舗から位置情報を含むサービス情報を取得する。携帯端末１のユーザは、サービス情報を利用するとき、サービス情報に含まれる位置情報をサーバ３に送信し、移動店舗がサービス情報の利用可能なエリアに存在しているか問い合わせる。これにより、移動店舗が移動する場合であっても、ユーザは、取得したサービス情報を容易に利用することができる。
【００２８】
図２は、移動店舗サービス情報提供システムの構成例を示した図である。図２に示す携帯端末１２は、携帯電話などの無線端末であり、図示しない無線基地局と無線通信を行う。移動店舗１１も同様の携帯端末を具備し、無線基地局と無線通信を行う。サーバ１３は、インターネットなどのネットワークを介して無線ネットワークと接続され、携帯端末１２および移動店舗１１とデータ通信することができる。
【００２９】
移動店舗１１は、自動車などで移動し、パンなどの商品を販売する移動店舗である。移動店舗１１は、例えば、日時によって商品を販売する場所を移動し、ある曜日の午前は、Ｘ町１４の駅前で商品を販売し、午後はＹ町１５の駅前で商品を販売する。
【００３０】
移動店舗１１は、ＩＣ（Integrated Circuit）カードのデータを読み書きできるＩＣカードリーダライタ（Ｒ／Ｗ）を備えている。携帯端末１２のユーザは、移動店舗１１の備えるＩＣカードＲ／Ｗに携帯端末１２をかざすことによって、携帯端末１２の有するＩＣカードに、移動店舗１１のクーポン券などのサービス情報を取得することができる。
【００３１】
図３は、移動店舗の備える携帯端末およびＩＣカードＲ／Ｗを示した図である。図３に示すように、移動店舗１１は、携帯端末２１およびＩＣカードＲ／Ｗ２２を有している。また、図３には、図２に示した携帯端末１２も示している。
【００３２】
移動店舗１１の携帯端末２１には、移動店舗１１のクーポン券などのサービス情報が記憶されている。携帯端末１２のユーザは、自分の携帯端末１２を移動店舗１１のＩＣカードＲ／Ｗ２２にかざすことによって、携帯端末２１に記憶されている移動店舗１１のサービス情報をＩＣカードに取り込むことができる。
【００３３】
図２の説明に戻る。移動店舗１１の店員は、ある場所で営業を開始するとき、携帯端末２１のＧＰＳ（Global Positioning System）機能などを利用して自己の位置情報を取得する。取得した位置情報は、携帯端末２１に記憶されているサービス情報に挿入される。また、取得した位置情報は、無線通信によって、サーバ１３に送信される。
【００３４】
携帯端末１２のユーザは、移動店舗１１で商品を購入し、移動店舗１１の携帯端末２１から、移動店舗１１のサービス情報を取得する。以下では、携帯端末１２のユーザは、Ｘ町１４内に居住し、Ｘ町１４内で移動店舗１１のサービス情報を取得したとする。
【００３５】
携帯端末１２のユーザは、後日、取得したサービス情報を利用して、移動店舗１１の商品を購入する場合、携帯端末１２を用いて、取得したサービス情報に含まれる位置情報をサーバ１３に送信する。
【００３６】
サーバ１３は、携帯端末１２から送信される位置情報と、移動店舗１１の登録した位置情報とを比較し、比較結果を携帯端末１２に送信する。携帯端末１２は、一致した旨の情報をサーバ１３から受信した場合、ＩＣカードに記憶されているサービス情報を有効なサービス情報として表示装置に表示する。一方、携帯端末１２は、一致しない旨の情報をサーバ１３から受信した場合、ＩＣカードに記憶されているサービス情報を利用できない旨を表示装置に表示する。
【００３７】
例えば、移動店舗１１は、Ｘ町１４の駅前で営業し、Ｘ町１４の位置情報をサーバ１３に登録しているとする。このとき、ユーザが取得したサービス情報に含まれる位置情報（Ｘ町１４）をサーバ１３に送信すると、携帯端末１２は、一致した旨の情報を受信する。
【００３８】
一方、移動店舗１１は、Ｙ町１５の駅前で営業し、Ｙ町１５の位置情報をサーバ１３に登録しているとする。このとき、ユーザがサービス情報に含まれる位置情報をサーバ１３に送信すると、携帯端末１２は、一致しない旨の情報を受信する。
【００３９】
すなわち、携帯端末１２のユーザは、サーバ１３にアクセスすることによって、サービス情報を利用できるエリア（Ｘ町１４）に、移動店舗１１が移動しているか否か知ることができる。
【００４０】
このように、移動店舗１１は、営業を行う際、サーバ１３に位置登録を行う。携帯端末１２のユーザは、移動店舗１１から位置情報を含むサービス情報を取得する。携帯端末１２のユーザは、サービス情報を利用するとき、サーバ１３にアクセスし、サービス情報が利用可能か問い合わせる。これにより、ユーザは、移動店舗１１が移動する場合であっても、取得したサービス情報を容易に利用することができる。
【００４１】
図４は、移動店舗の携帯端末のブロック構成図である。図４に示すように移動店舗１１の携帯端末２１は、位置情報取得部３１、画面制御部３２、ＩＣカードＲ／Ｗ通信部３３、トルカ生成部３４、メール送受信部３５、呼制御部３６、無線制御部３７、およびメモリ３８を有している。図４の各部は、例えば、メモリなどの記憶装置に記憶されているプログラムをＣＰＵ（Central Processing Unit）が実行することにより実現される。メモリ３８は、プログラムが記憶されるメモリと同じメモリであってもよい。
【００４２】
メモリ３８には、移動店舗１１のサービス情報（以下、トルカデータ）が記憶されている。トルカデータには、移動店舗１１を識別する店舗ＩＤが含まれている。トルカデータは、携帯端末２１やパーソナルコンピュータを用いて作成され、予めメモリ３８に記憶される。トルカデータは、ＨＴＭＬ（Hyper Text Markup Language）形式で作成されるため、テキスト、ＵＲＬ（Uniform Resource Locator）、画像などを含めることができる。
【００４３】
位置情報取得部３１は、例えば、ＧＰＳを用いて、携帯端末２１の位置情報（緯度および経度）を取得する。
画面制御部３２は、携帯端末２１の有するＬＣＤ（Liquid Crystal Display）などの表示装置に画像を表示する。
【００４４】
ＩＣカードＲ／Ｗ通信部３３は、ＩＣカードＲ／Ｗ２２を制御し、ＩＣカードＲ／Ｗ２２にかざされた携帯端末１２とデータ通信を行う。
トルカ生成部３４は、携帯端末２１を所持する店員の操作に応じて位置情報取得部３１を制御し、携帯端末２１の現在の位置情報を取得する。トルカ生成部３４は、取得した位置情報に基づいて、郵便番号などで示されるエリアコードを検索する。例えば、トルカ生成部３４は、取得した位置情報の緯度および経度がＸ町１４内であれば、Ｘ町１４の郵便番号を検索する。トルカ生成部３４は、検索したエリアコードと、移動店舗１１を識別する店舗ＩＤとを含む店舗情報を、メールによってサーバ１３に送信する。
【００４５】
トルカ生成部３４は、メモリ３８に記憶されているトルカデータに、検索したエリアコードを挿入する。また、トルカ生成部３４は、ＩＣカードＲ／Ｗ２２に携帯端末１２がかざされると、メモリ３８に記憶されている店舗情報を含むトルカデータを、ＩＣカードＲ／Ｗ通信部３３を介してＩＣカードＲ／Ｗ２２に出力する。
【００４６】
メール送受信部３５は、呼制御部３６および無線制御部３７を介して、他の携帯端末やパーソナルコンピュータなどとメールの送受信を行う。呼制御部３６は、無線基地局や無線基地局制御装置などと呼制御を行う。無線制御部３７は、データの変調や復調、無線チャネルの割り付けやデータ再送要求を行う。
【００４７】
図５は、ユーザの携帯端末のブロック構成図である。図５に示すように携帯端末１２は、位置情報取得部４１、画面制御部４２、ＩＣカードＲ／Ｗ通信部４３、トルカ制御部４４、メール送受信部４５、呼制御部４６、無線制御部４７、ＩＣカード制御部４８、およびＩＣカード４９を有している。図５の各部は、例えば、メモリなどの記憶装置に記憶されているプログラムをＣＰＵが実行することにより実現される。
【００４８】
位置情報取得部４１および画面制御部４２は、図４の位置情報取得部３１および画面制御部３２と同様の機能を有し、その説明を省略する。
ＩＣカードＲ／Ｗ通信部４３は、移動店舗１１のＩＣカードＲ／Ｗ２２と通信を行う。
【００４９】
トルカ制御部４４は、ＩＣカードＲ／Ｗ通信部４３を介して受信した移動店舗１１のトルカデータを、ＩＣカード制御部４８を介してＩＣカード４９に記憶する。
トルカ制御部４４は、ユーザの操作に応じ、ＩＣカード制御部４８を介してＩＣカードに記憶されているトルカデータを読み出す。トルカ生成部３４は、読み出したトルカデータに含まれる店舗情報を、メールによってサーバ１３に送信する。
【００５０】
トルカ制御部４４は、サーバ１３に送信した店舗情報に含まれるエリアコードと、移動店舗１１の存在しているエリアコードとの比較結果をサーバ１３から受信する。トルカ制御部４４は、サーバ１３から、エリアコードが一致する旨の情報を受信した場合、ＩＣカードに記憶されているトルカデータを画面制御部４２によって画面に表示する。一方、サーバ１３から、エリアコードが一致しない旨の情報を受信した場合、トルカデータは使用できない旨の画面を表示する。
【００５１】
メール送受信部４５、呼制御部４６、および無線制御部４７は、メール送受信部３５、呼制御部３６、および無線制御部３７と同様であり、その説明を省略する。
ＩＣカード制御部４８は、ＩＣカード４９のデータの読み書きを制御する。
【００５２】
図６は、サーバのブロック構成図である。図に示すようにサーバ１３は、画面制御部５１、トルカ比較部５２、メール送受信部５３、ＴＣＰ／ＩＰ通信部５４、およびメモリ５５を有している。図６の各部は、例えば、メモリなどの記憶装置に記憶されているプログラムをＣＰＵが実行することにより実現される。メモリ５５は、プログラムが記憶されるメモリと同じメモリであってもよい。
【００５３】
画面制御部５１は、サーバ１３の有するＬＣＤなどの表示装置に画像を表示する。
トルカ比較部５２は、メールによって移動店舗１１の携帯端末２１から店舗情報を受信する。トルカ比較部５２は、携帯端末２１から受信した店舗情報をメモリ５５に記憶する。
【００５４】
図７は、メモリに記憶される店舗情報のデータ構成例を示した図である。図７に示すようにメモリ５５は、複数の移動店舗の携帯端末から受信した店舗情報を記憶している。店舗情報には、移動店舗を識別する店舗ＩＤと、移動店舗の現在存在しているエリアコードとが含まれている。
【００５５】
メモリ５５は、店舗情報アドレスＡ１〜Ａｎを記憶している。店舗情報アドレスＡ１〜Ａｎは、店舗情報を記憶しているアドレスを示している。
例えば、店舗情報アドレスＡ１は、店舗ＩＤ：１２３４およびエリアコード：２３６の店舗情報のアドレスを示している。なお、エリアコードは、郵便番号の全桁で示すようにしてもよいし、上位３桁で示すようにしてもよい。エリアコードの桁数は、エリアを示す大きさによって決めるようにする。
【００５６】
図６の説明に戻る。トルカ比較部５２は、トルカデータを利用するユーザの携帯端末１２から店舗情報を受信する。
図８は、ユーザの携帯端末から送信される店舗情報を示した図である。図８に示すように携帯端末１２から送信される店舗情報には、移動店舗１１の店舗ＩＤと、ユーザがトルカデータを受信したときのエリアコードとが含まれている。
【００５７】
図６の説明に戻る。トルカ比較部５２は、携帯端末１２から店舗情報を受信すると、メモリ５５を参照し、その店舗情報に対応する店舗情報を取得する。
例えば、トルカ比較部５２は、携帯端末１２から、店舗ＩＤ：１２３４の店舗情報を受信したとする。この場合、トルカ比較部５２は、メモリ５５を参照し、店舗ＩＤ：１２３４の店舗情報を取得することになる。
【００５８】
トルカ比較部５２は、携帯端末１２から受信した店舗情報のエリアコードと、メモリ５５から取得した店舗情報のエリアコードとを比較し、比較結果を携帯端末１２に送信する。
【００５９】
すなわち、トルカ比較部５２は、携帯端末１２の取得したトルカデータのエリアと、現在移動店舗１１が営業しているエリアとが一致しているか否かの比較結果を携帯端末１２に送信する。
【００６０】
メール送受信部５３は、ＴＣＰ／ＩＰ通信部５４を介して、他の携帯端末やパーソナルコンピュータなどとメールの送受信を行う。ＴＣＰ／ＩＰ通信部５４は、ＴＣＰ／ＩＰプロトコルに基づいた通信を行う。
【００６１】
図９は、移動店舗の店舗情報をサーバに登録する際のシーケンス図である。移動店舗１１は、営業を開始するとき、サーバ１３にその営業場所の位置登録を行う。なお、移動店舗１１の携帯端末２１のメモリ３８には、予め移動店舗１１の店舗ＩＤ：１２３４を含むトルカデータが記憶されているとする。
【００６２】
ステップＳ１において、携帯端末２１のトルカ生成部３４は、携帯端末２１を所持する店員の操作に応じて位置情報取得部３１を制御し、携帯端末２１の現在の位置情報を取得する。
【００６３】
ステップＳ２において、トルカ生成部３４は、取得した位置情報に基づいて、郵便番号で示されるエリアコードを検索する。例えば、トルカ生成部３４は、携帯端末２１がＸ町１４内に存在している場合、エリアコード‘２３６’を検索する。
【００６４】
ステップＳ３において、トルカ生成部３４は、メモリ３８に予め記憶されているトルカデータに、エリアコードを挿入する。
ステップＳ４において、トルカ生成部３４は、メモリ３８に記憶されているトルカデータから店舗ＩＤ：１２３４とエリアコード２３６を取得し、店舗情報としてサーバ１３に送信する。トルカ生成部３４は、例えば、メールによってサーバ１３に送信する。
【００６５】
ステップＳ５において、サーバ１３のトルカ比較部５２は、移動店舗１１の携帯端末２１から店舗情報を受信する。トルカ比較部５２は、携帯端末２１から受信した店舗情報をメモリ５５に記憶する。
【００６６】
このようにして、移動店舗１１の営業している場所がサーバ１３に登録される。
図１０は、ユーザがトルカデータを受信する際のシーケンス図である。
ステップＳ１１，Ｓ１２において、トルカデータを受信するユーザは、移動店舗１１のＩＣカードＲ／Ｗ２２に携帯端末１２をかざす。移動店舗１１の携帯端末２１のトルカ生成部３４は、メモリ３８に記憶されているトルカデータをＩＣカードＲ／Ｗ２２に出力する。ユーザの携帯端末１２のトルカ制御部４４は、ＩＣカードＲ／Ｗ２２を介して移動店舗１１のトルカデータを受信する。
【００６７】
ステップＳ１３において、ユーザの携帯端末１２のトルカ制御部４４は、ＩＣカード制御部４８を制御し、受信したトルカデータをＩＣカード４９に記憶する。
このようにして、ユーザは、移動店舗１１のトルカデータを取得することができる。
【００６８】
なお、携帯端末１２の記憶したトルカデータには、図９のステップＳ３の処理により、店舗ＩＤ：１２３４とエリアコード：２３６とを含む店舗情報が含まれている。
図１１は、ユーザがトルカデータの利用問い合わせをする際のシーケンス図である。ユーザは、移動店舗１１から取得したトルカデータを利用するとき、サーバ１３に対し、そのトルカデータを利用できるか否か問い合わせることができる。すなわち、ユーザは、移動店舗１１がトルカデータを利用できるエリアに来ているか否か知ることができる。
【００６９】
ステップＳ２１において、携帯端末１２は、ユーザからトルカデータの表示依頼を受け付ける。
ステップＳ２２において、携帯端末１２のトルカ制御部４４は、ＩＣカード４９に記憶したトルカデータに含まれる店舗情報を取得する。トルカ制御部４４は、取得した店舗情報をメールによってサーバ１３に送信する。
【００７０】
なお、図１０で説明したように、ユーザは、移動店舗１１から、店舗ＩＤ：１２３４とエリアコード：２３６とを含む店舗情報のトルカデータを受信し、ＩＣカード４９に記憶している。従って、携帯端末１２は、店舗ＩＤ：１２３４とエリアコード：２３６とを含む店舗情報をサーバ１３に送信する。
【００７１】
ステップＳ２３において、サーバ１３のトルカ比較部５２は、携帯端末１２から店舗情報を受信する。トルカ比較部５２は、メモリ５５を参照し、受信した店舗情報の店舗ＩＤに対応する店舗情報を取得する。
【００７２】
なお、図９のステップＳ４，Ｓ５で説明したように、メモリ５５には、店舗ＩＤ：１２３４とエリアコード：２３６の店舗情報が記憶されている。従って、トルカ比較部５２は、携帯端末１２から受信した店舗ＩＤ：１２３４に基づいてメモリ５５を参照すると、エリアコード：２３６を含む店舗情報を取得することになる。
【００７３】
ステップＳ２４において、サーバ１３のトルカ比較部５２は、携帯端末１２から受信した店舗情報と、メモリ５５から取得した店舗情報とを比較する。
ステップＳ２５において、サーバ１３のトルカ比較部５２は、携帯端末１２から受信した店舗情報と、メモリ５５から取得した店舗情報との比較結果を携帯端末１２に通知する。
【００７４】
ここでは、携帯端末１２から受信した店舗情報と、メモリ５５から取得した店舗情報とのエリアコードが一致するので、トルカ比較部５２は、携帯端末１２に対して一致した旨の通知を行うことになる。
【００７５】
ステップＳ２６において、携帯端末１２のトルカ制御部４４は、サーバ１３から店舗情報の比較結果を受信する。トルカ制御部４４は、サーバ１３からの比較結果に基づいて、ＩＣカード４９に記憶されているトルカデータを表示装置に表示する。
【００７６】
なお、移動店舗１１がＹ町１５内で営業している場合、サーバ１３に登録される店舗情報のエリアコードは、‘２３６’とは別になる。すなわち、エリアコードは、Ｙ町１５に対応する郵便番号になり、例えば、エリアコード：２３４となる。
【００７７】
この場合、サーバ１３のトルカ比較部５２は、携帯端末１２から受信した店舗情報と、メモリ５５から取得した店舗情報とのエリアコードが一致しないので、携帯端末１２に対して一致しない旨の比較結果を通知することになる。携帯端末１２のトルカ制御部４４は、サーバ１３からの一致しない旨の比較結果に応じて、例えば、表示装置にトルカデータは利用できない旨を表示する。
【００７８】
図１２は、ユーザの携帯端末に表示されるトルカデータ表示依頼の画面を示した図である。ユーザは、トルカデータの利用が可能か否かサーバ１３に問い合わせる場合、携帯端末１２を操作して、図１２の画面６１に進む。そして、画面６１のトルカデータ表示依頼にカーソルを合わせ、例えば、携帯端末１２の決定を押下する。
【００７９】
図１３は、ユーザの携帯端末に表示されるトルカデータの画面を示した図である。ユーザが図１２の画面６１からトルカデータの表示依頼を行うと、携帯端末１２は、サーバ１３にトルカデータの利用可否を問い合わせる。携帯端末１２の表示装置には、その結果が図１３の画面６２に示すように表示される。図１３の画面６２は、移動店舗１１がトルカデータの利用可能なエリアに位置している場合の例を示している。
【００８０】
なお、移動店舗１１がトルカデータの利用不可能なエリアに位置している場合は、携帯端末１２の表示画面には、トルカデータを利用できない旨が表示される。
図１４は、移動店舗の携帯端末に表示されるエリアコード画面を示した図である。移動店舗１１の店員が携帯端末２１で現在の位置情報を取得すると、携帯端末２１の表示装置には、図１４に示すような画面６３が表示される。すなわち、携帯端末２１の現在位置と、その位置に対応したエリアコードが表示される。店員は、検索されたエリアコードをサーバ１３に登録する場合、例えば、画面６３の‘はい’にカーソルを合わせ、決定ボタンを押下する。
【００８１】
このように、携帯端末１２のユーザは、移動店舗１１からエリアコードを含むトルカデータを取得する。移動店舗１１は、例えば、営業を行う際、サーバ１３に位置登録を行う。携帯端末１２のユーザは、トルカデータを利用するとき、サーバ１３にエリアコードを含む店舗情報を送信し、トルカデータが利用可能か問い合わせる。これにより、移動店舗１１が移動する場合であっても、ユーザは、取得したトルカデータを容易に利用することができる。
【００８２】
また、ユーザは、自分の個人情報を移動店舗１１に公開することなく、移動店舗１１がトルカデータ利用可能エリアに存在しているか否か知ることができる。
なお、ユーザの携帯端末１２は、自分の位置情報をサーバ１３に送信し、サーバ１３は、携帯端末１２と移動店舗１１の位置関係を携帯端末１２に送信することもできる。例えば、携帯端末１２は、携帯端末２１と同様にＧＰＳによって自分の位置情報を取得し、エリアコードをサーバ１３に送信する。サーバ１３は、移動店舗１１のエリアコードと、携帯端末１２のエリアコードから、例えば、移動店舗１１がユーザの隣町にいることを検出する。サーバ１３は、検出した情報を携帯端末１２に送信する。これにより、携帯端末１２のユーザは、移動店舗１１が近くに移動していることを知ることができる。
【００８３】
（付記１）  無線通信を行う携帯端末において、
移動店舗の所有する店舗携帯端末から前記移動店舗のサービス情報を受信するサービス情報受信手段と、
前記サービス情報を記憶するサービス情報記憶手段と、
前記サービス情報に含まれている位置情報をサーバに送信する位置情報送信手段と、
前記サーバから前記サーバに送信した前記位置情報と前記移動店舗の位置との比較結果を受信する比較結果受信手段と、
を有することを特徴とする携帯端末。
【００８４】
（付記２）  前記比較結果に基づいて、前記サービス情報記憶手段に記憶した前記サービス情報を表示装置に表示するサービス情報表示手段を有することを特徴とする付記１記載の携帯端末。
【００８５】
（付記３）  前記サービス情報受信手段は、ＩＣカードリーダライタを介して前記店舗携帯端末から前記サービス情報を受信することを特徴とする付記１記載の携帯端末。
（付記４）  前記サービス情報は、トルカデータであることを特徴とする付記１記載の携帯端末。
【００８６】
（付記５）  無線通信を行う携帯端末において、
当該携帯端末を所有する移動店舗のサービス情報を記憶するサービス情報記憶手段と、
当該携帯端末の位置情報を取得する位置情報取得手段と、
前記サービス情報に前記位置情報を挿入する位置情報挿入手段と、
前記位置情報をサーバに送信する位置情報送信手段と、
前記サービス情報を要求するユーザ携帯端末に前記サービス情報を送信するサービス情報送信手段と、
を有することを特徴とする携帯端末。
【００８７】
（付記６）  前記サービス情報送信手段は、ＩＣカードリーダライタを介して前記ユーザ携帯端末に前記サービス情報を送信することを特徴とする付記５記載の携帯端末。
（付記７）  前記サービス情報は、トルカデータであることを特徴とする付記５記載の携帯端末。
【００８８】
（付記８）  無線通信を行う携帯端末とデータ通信を行うサーバにおいて、
移動店舗の所有する店舗携帯端末から前記店舗携帯端末の位置情報を受信する店舗位置情報受信手段と、
前記位置情報を記憶する位置情報記憶手段と、
前記移動店舗のサービス情報を記憶したユーザ携帯端末から前記サービス情報に含まれる前記位置情報を受信するサービス位置情報受信手段と、
前記位置情報記憶手段に記憶した前記位置情報と、前記サービス位置情報受信手段によって受信した前記位置情報とを比較する比較手段と、
前記比較手段の比較結果を前記ユーザ携帯端末に送信する比較結果送信手段と、
を有することを特徴とするサーバ。
【００８９】
（付記９）  移動店舗のサービス情報を提供するサービス情報提供システムにおいて、
前記サービス情報を受信するサービス情報受信手段と、前記サービス情報を記憶するサービス情報記憶手段と、前記サービス情報に含まれている位置情報を送信する位置情報送信手段と、前記位置情報送信手段によって送信した前記位置情報と前記移動店舗の位置との比較結果を受信する比較結果受信手段と、を有するユーザ携帯端末と、
前記サービス情報を記憶する店舗サービス情報記憶手段と、位置情報を取得する位置情報取得手段と、前記サービス情報に前記位置情報を挿入する位置情報挿入手段と、前記位置情報を送信する位置情報送信手段と、前記ユーザ携帯端末に前記サービス情報を送信するサービス情報送信手段と、を有する店舗携帯端末と、
前記店舗携帯端末から前記店舗携帯端末の前記位置情報を受信する店舗位置情報受信手段と、前記位置情報を記憶する位置情報記憶手段と、前記ユーザ携帯端末から前記サービス情報に含まれる前記位置情報を受信するサービス位置情報受信手段と、前記位置情報記憶手段に記憶した前記位置情報と、前記サービス位置情報受信手段によって受信した前記位置情報とを比較する比較手段と、前記比較手段の前記比較結果を前記ユーザ携帯端末に送信する比較結果送信手段と、を有するサーバと、
を有することを特徴とするサービス情報提供システム。
【図面の簡単な説明】
【００９０】
【図１】サービス情報提供システムを説明する図である。
【図２】移動店舗サービス情報提供システムの構成例を示した図である。
【図３】移動店舗の備える携帯端末およびＩＣカードＲ／Ｗを示した図である。
【図４】移動店舗の携帯端末のブロック構成図である。
【図５】ユーザの携帯端末のブロック構成図である。
【図６】サーバのブロック構成図である。
【図７】メモリに記憶される店舗情報のデータ構成例を示した図である。
【図８】ユーザの携帯端末から送信される店舗情報を示した図である。
【図９】移動店舗の店舗情報をサーバに登録する際のシーケンス図である。
【図１０】ユーザがトルカデータを受信する際のシーケンス図である。
【図１１】ユーザがトルカデータの利用問い合わせをする際のシーケンス図である。
【図１２】ユーザの携帯端末に表示されるトルカデータ表示依頼の画面を示した図である。
【図１３】ユーザの携帯端末に表示されるトルカデータの画面を示した図である。
【図１４】移動店舗の携帯端末に表示されるエリアコード画面を示した図である。
【符号の説明】
【００９１】
１，２  携帯端末
１ａ  サービス情報受信手段
１ｂ，２ａ  サービス情報記憶手段
１ｃ  位置情報送信手段
１ｄ  比較結果受信手段
２ｂ  位置情報取得手段
２ｃ  位置情報挿入手段
２ｄ  位置情報送信手段
２ｅ  サービス情報送信手段
３  サーバ
３ａ  店舗位置情報受信手段
３ｂ  位置情報記憶手段
３ｃ  サービス位置情報受信手段
３ｄ  比較手段
３ｅ  比較結果送信手段
【図１】
2010066880.tif 000003
【図２】
2010066880.tif 000004
【図３】
2010066880.tif 000005
【図４】
2010066880.tif 000006
【図５】
2010066880.tif 000007
【図６】
2010066880.tif 000008
【図７】
2010066880.tif 000009
【図８】
2010066880.tif 000010
【図９】
2010066880.tif 000011
【図１０】
2010066880.tif 000012
【図１１】
2010066880.tif 000013
【図１２】
2010066880.tif 000014
【図１３】
2010066880.tif 000015
【図１４】
2010066880.tif 000016